(57)【要約】【課題】炭化綿を用いて、藻類の胞子及び微生物が付着しやすく、藻類の繁殖に適した藻類繁殖装置及び藻類繁殖方法を提供する。【解決手段】水中に設置して、藻類の付着育成を図るための藻類繁殖装置であって、木綿を原料とし、焼成して得られた炭化綿２を平面状に形成し、前記炭化綿２を網状体３ａを具備する外枠３・３を用いて上下方向から挟持することによって固定した。また、前記藻類繁殖装置を複数個使用して層状に構成した礁体１１を形成し、該礁体の底面に錘１５を固設して水底に接地するように固設した。【選択図】図１
2008092855.tif 000002
【特許請求の範囲】
【請求項１】
水中に設置して、藻類の付着育成を図るための藻類繁殖装置であって、木綿を原料とし、焼成して得られた炭化綿を平面状に形成し、前記炭化綿を網状体を具備する外枠を用いて上下方向から挟持することによって固定したことを特徴とする藻類繁殖装置。
【請求項２】
請求項１に記載の藻類繁殖装置に錘を固設して水底に水平もしくは垂直に並べて敷設したことを特徴とする藻草繁殖方法。
【請求項３】
請求項１に記載の藻類繁殖装置を複数個使用して層状に構成した礁体を形成し、該礁体の底面に錘を固設して水底に接地するように固設したことを特徴とする藻類繁殖方法。
【請求項４】
請求項１に記載の藻類繁殖装置を複数個使用して層状に構成した礁体を形成し、該礁体の底面より係留ロープを垂らし、該係留ロープに錘を吊設し、一方礁体の上面にはフロートを連結して、前記礁体を水中にて浮遊した状態で固定したことを特徴とする藻類繁殖方法。
【請求項５】
水中に設置して、藻類の付着育成を図るための藻類繁殖装置であって、木綿を原料とし、焼成して得られた炭化綿を円筒状に変形して、筒状の外枠の内側に同じく円筒状の一回り小さい内枠を設け、その間に配設したことを特徴とする藻類繁殖装置。
【請求項６】
請求項５に記載の藻類繁殖装置を組み合わせて礁体に構成し、該礁体の底面に錘を固設して水底に接地するように配設したことを特徴とする藻類繁殖方法。
【請求項７】
請求項５に記載の藻類繁殖装置を組み合わせて礁体に構成し、該礁体の底面より係留ロープを垂らし、該係留ロープに錘を吊設し、一方礁体の上面にはフロートを連結して、前記礁体を水中にて浮遊した状態で固定したことを特徴とする藻類繁殖方法。
【請求項８】
側面部及び底面部が網状体で形成された藻類繁殖装置であって、前記側面部を二重の網状体で構成し、該網状体の間に水中に設置して、藻類の付着育成を図るための藻類繁殖装置であって、木綿を原料とし、焼成して得られた炭化綿を配設したことを特徴とする藻類繁殖装置。
【発明の詳細な説明】
【技術分野】
【０００１】
本発明は、藻類繁殖装置及び藻類繁殖方法、特に炭化綿を使用した藻類繁殖装置及び藻類繁殖方法の技術に関する。
【背景技術】
【０００２】
従来、魚類の餌場、産卵場としてコンクリートや鉄骨などで形成された漁礁が設けられている（例えば特許文献１、２参照）。前記漁礁の役割は、藻類を繁殖させ微生物を付着させることなどが期待されている。また、貝類の養殖や、コンブや海苔等の藻類の養殖に、漁礁と略同様の構造を持つ構造物が使用されている（特許文献２、３参照）。この構造物の役割も、前記漁礁と同様、藻類を繁殖させ、微生物を付着させることにある。
しかし、従来の漁礁や構造物では、コンクリートや鉄骨の表面に藻類や微生物が付着するものの、その付着量は決して多いものではなかった。鉄骨の表面やコンクリートの表面は多少の凹凸はあるものの微視的には平らであるために藻類の胞子などが付着しにくかったためである。そこで漁礁若しくは構造物において、藻類の胞子や微生物を付着させやすい担体が検討されており、生物親和性の高い炭素繊維をシート状に編み込んだ微生物付着担体が開発されている（特許文献４参照）。
【特許文献１】特開平１０−１５５３８８号公報
【特許文献２】特開２０００−１８８９９７号公報
【特許文献３】特開平９−３７６７７号公報
【特許文献４】特開２００１−２４８０４４号公報
【発明の開示】
【発明が解決しようとする課題】
【０００３】
一方、木綿を高温、長時間焼成することにより得られた炭化綿には微生物を吸着する性能が備わっている。該炭化綿は前記炭素繊維と同様に生物親和性を有しており、さらに、表面のクチクラ層が除かれることにより、セルロース層が露出するため、炭素繊維に比べて表面が粗くなり微生物や胞子をより付着させることが可能である。
そこで、本発明は斯かる課題に鑑み、炭化綿を用いて、藻類の胞子及び微生物が付着しやすく、藻類の繁殖に適した藻類繁殖装置及び藻類繁殖方法を提供する。
【課題を解決するための手段】
【０００４】
本発明の解決しようとする課題は以上の如くであり、次にこの課題を解決するための手段を説明する。
【０００５】
即ち、請求項１においては、水中に設置して、藻類の付着育成を図るための藻類繁殖装置であって、木綿を原料とし、焼成して得られた炭化綿を平面状に形成し、前記炭化綿を網状体を具備する外枠を用いて上下方向から挟持することによって固定したものである。
【０００６】
請求項２においては、請求項１に記載の藻類繁殖装置に錘を固設して水底に水平もしくは垂直に並べて敷設したものである。
【０００７】
請求項３においては、請求項１に記載の藻類繁殖装置を複数個使用して層状に構成した礁体を形成し、該礁体の底面に錘を固設して水底に接地するように固設したものである。
【０００８】
請求項４においては、請求項１に記載の藻類繁殖装置を複数個使用して層状に構成した礁体を形成し、該礁体の底面より係留ロープを垂らし、該係留ロープに錘を吊設し、一方礁体の上面にはフロートを連結して、前記礁体を水中にて浮遊した状態で固定したものである。
【０００９】
請求項５においては、水中に設置して、藻類の付着育成を図るための藻類繁殖装置であって、木綿を原料とし、焼成して得られた炭化綿を円筒状に変形して、筒状の外枠の内側に同じく円筒状の一回り小さい内枠を設け、その間に配設したものである。
【００１０】
請求項６においては、請求項５に記載の藻類繁殖装置を組み合わせて礁体に構成し、該礁体の底面に錘を固設して水底に接地するように配設したものである。
【００１１】
請求項７においては、請求項５に記載の藻類繁殖装置を組み合わせて礁体に構成し、該礁体の底面より係留ロープを垂らし、該係留ロープに錘を吊設し、一方礁体の上面にはフロートを連結して、前記礁体を水中にて浮遊した状態で固定したものである。
【００１２】
請求項８においては、側面部及び底面部が網状体で形成された藻類繁殖装置であって、前記側面部を二重の網状体で構成し、該網状体の間に水中に設置して、藻類の付着育成を図るための藻類繁殖装置であって、木綿を原料とし、焼成して得られた炭化綿を配設したものである。
【発明の効果】
【００１３】
本発明の効果として、以下に示すような効果を奏する。
【００１４】
請求項１においては、炭化綿の生物親和性と表面の粗さによって、炭化綿の表面に藻類の胞子が着床しやすく、かつ他の浮遊物も付着するので藻類の成長が促進される。また、網状体で挟持されているため炭化綿が移動するのを防ぐことができる。
【００１５】
請求項２においては、藻類繁殖装置を平面状に並べたことにより、丈の高いコンブ等の育成が可能となり、アワビやウニ等の養殖をすることができる。また、コンブの持つ水質浄化作用により周辺の水質を浄化することが可能である。
【００１６】
請求項３においては、藻類繁殖装置を複数個一定間隔で並設することにより、魚類の餌場及び産卵場所を提供することができる。また、藻類と魚類が共生できる環境を整えることによりビオトープ的な役割を果たすことができる。また、水深の浅い場所で水底に礁体を設置することができる。また、層状に構成したことにより、狭い底面積でアワビやウニ等の幼生の生育場所となる多量の藻類を育てることが出来るため、前記幼生を効率よく生育することが可能となる。
【００１７】
請求項４においては、藻類繁殖装置を複数個一定間隔で並設することにより、魚類の餌場及び産卵場所を提供することができる。また、藻類と魚類が共生できる環境を整えることによりビオトープ的な役割を果たすことができる。水深が深い場所でも、魚の集魚効果の高い水深の浅い場所に礁体を設置することが可能となる。
【００１８】
請求項５においては、炭化綿の内側及び外側、つまり円筒の内側と外側に藻類が繁殖させることが可能となる。
【００１９】
請求項６においては、漁礁として使用する際に、魚にとって隠れ場所の多い構成となるため、環境のよい漁礁を形成することが可能となる。また、水深の浅い場所で水底に礁体を設置することができる。
【００２０】
請求項７においては、藻類繁殖装置を複数個一定間隔で並設することにより、魚類の餌場及び産卵場所を提供することができる。また、藻類と魚類が共生できる環境を整えることによりビオトープ的な役割を果たすことができる。水深が深い場所でも、魚の集魚効果の高い水深の浅い場所に礁体を設置することが可能となる。
【００２１】
請求項８においては、前記藻類繁殖装置５０を魚の養殖等を行う生け簀として利用する際に、生け簀の周囲に炭化綿を配設することにより、炭化綿の両面に藻類を繁殖させることが可能となる。そのため、魚の隠れ場所及び産卵場所を確保することが可能となり、藻類と魚が共生できる環境を提供することができる。また、魚の養殖の際に問題となる余剰飼料も炭化綿によって吸着されるため、赤潮などの水質汚染が発生し難くなる。
【発明を実施するための最良の形態】
【００２２】
本出願人は、先に「浄化用フィルター及びその製造法並びに同フィルターの保存法」（特開２００５−８７０８３号公報）、「炭水化物の乾留液及びその回収方法」（特開２００５−２２５８０８号公報）を提案している。
「浄化用フィルター及びその製造法並びに同フィルターの保存法」の炭化綿は、気体分子の吸蔵、排出、若しくは吸着又は液体分子の吸着又は微生物若しくは微粒子の吸着、液体あるいは気体の吸着性能に優れた効果を有している。
【００２３】
また、本出願人は先に炭化綿の気体分子及び微粒子を吸着する性能に着目し、「魚及び水棲動物の水槽浄化用フィルター、同浄化用フィルターの製造方法、浄化用フィルターの保存方法及び魚及び水棲動物の水槽の浄化方法」（特開２００５−１１７９２５号公報）を提案している。
【００２４】
一方、従来の漁礁や構造物では、コンクリートや鉄骨の表面に藻類や微生物が付着するものの、その付着量は決して多いものではなかった。鉄骨の表面やコンクリートの表面は多少の凹凸はあるものの微視的には平らであるために藻類の胞子などが付着しにくかったためである。そこで、漁礁若しくは構造物において、藻類の胞子や微生物を付着させやすい担体が検討されている。
そこで、本出願人は、炭化綿の特に微生物を吸着する性能に着目し、炭化綿を用いた藻類の繁殖方法及び装置の発明に至った。
【００２５】
炭化綿は、木綿を原料とし、８００℃〜１０００℃で１０時間、焼成して得られ、図に示す如く、木綿は炭化により表面のクチクラ層（薄皮）（図示せず）が除かれ、３層からなる繊維状セルロース層５１が露出する。炭化綿は、吸着に優れた炭素系素材（比表面積１０２６平方メートル／ｇ）であり、気体、液体の他、粒子も吸着、花粉やカビの胞子も一度捕らえると離さない性質を有している。
【実施例１】
【００２６】
次に、図を用いて発明の実施の形態を説明する。図１は本発明の一実施例に係る藻類繁殖装置の斜視図、図２は藻類繁殖装置を複数用いた礁体の正面図、図３は藻類繁殖装置を複数用いた礁体を水底に配置した状態を表す正面図、図４は藻類繁殖装置を複数用いた礁体を水中に浮遊させた状態を表す正面図、図５は藻類繁殖装置を複数用いた礁体を水底に配置した状態を表す正面図、図６は藻類繁殖装置を水底に並べて敷設した状態を表す斜視図、図７は円筒形の藻類繁殖装置の側面一部断面図、図８は円筒形の藻類繁殖装置を複数用いた礁体を水底に配置した状態を表す正面図、図９は同じく藻類繁殖装置を複数用いた礁体を水中に浮遊させた状態を表す正面図、図１０は同じく藻類繁殖装置を複数用いた礁体の斜視図、図１２は炭化綿を電子顕微鏡で見た場合の拡大図、図１１は本発明の他の実施例にかかる藻類繁殖装置の斜視図、図１２は図、図１３は胞子が付着した炭化綿の繊維の拡大図、図１４は炭化後の木綿を模式的に示した図、図１５は着生藻類の湿重量（ｇ）の推移を示したグラフ図である。なお本実施例での上下方向とは図１の矢印方向を表す。
【００２７】
まず、本発明の一実施例にかかる藻類繁殖装置１について説明する。
図１に示すように、炭化綿２はシート状に構成されており、該炭化綿２を上下から外枠３・３で挟んで固定している。前記外枠３・３は、網状に構成された透過面３ａと、該当下綿の周囲を補強するための外周面３ｂで構成されており、海水や微生物等は透過面３ａを通過して炭化綿２に接触することが可能となっている。炭化綿２は、該外枠３・３によって上下方向から挟持されることにより固定される。このように構成することにより、炭化綿２は水流などによって移動することなく、水中に定置することが可能となる。
なお、前記炭化綿２及び藻類繁殖装置１は海中において多くの藻類の胞子を着床させるために大きな面積であることが好ましい。
【００２８】
次に前記藻類繁殖装置１を使用した藻類繁殖方法について図２を使用して説明する。
図２に示す礁体１１は、前記藻類繁殖装置１を外枠を層状に重ねて構成したものである。前記礁体１１は略四角柱上に構成されており、その底面の各頂点から垂直に固定柱１１ａ、１１ａ、１１ａ、１１ａが立設されている。該固定柱１１ａに、前記藻類繁殖装置１を、略等間隔をあけて層状に配設し、固定具によって固定する。なお、前記底面の形状及び外枠の形状は四角形状に限定されることはなく、多角形状または円状に形成することも可能である。
【００２９】
前記礁体は、図３に示すように、底面に錘をつけて沈めることにより水底に固定することが可能である。すなわち、前記礁体１１の底面の各頂点に錘１５を固設して水底に沈設している。このように沈めて固定することにより、水底に前記礁体を設置することができる。すなわち、水底の浅い場所であれば、魚等が最も集まる場所に礁体１１を接地することが可能となる。なお、錘は錨等で構成することによっても同様の効果を得ることが出来る。
また、図４に示すように、前記礁体１１の上面にフロートを設ける一方、錘１５を沈めておいて、該錘１５より係留ロープ２１で前記礁体１１を係留する構成とすることも可能である。すなわち、前記礁体１１の底面の各頂点より係留ロープ２１を垂らし、該係留ロープ２１に錘１５を吊設している。一方前記礁体１１の上面の各頂点にフロート２２を連結している。このフロート２２の浮力により、礁体１１は水中に浮き上がるが、吊設した錘１５によって、水中の所定の位置に留まる。従って、フロート２２の長さや、係留ロープ２１の長さによって、礁体１１を任意の位置に決定することができる。このように藻類繁殖装置を配置したことにより、漁礁として利用する際には、水深が深い場所でも、魚の集魚効果の高い水深の浅い場所に礁体を設置することが可能となる。また、アワビやウニの養殖の際にも、水深の浅い場所に礁体を設置することにより、良い生育環境を提供することができる。
このように構成することにより、層状となった炭化綿と炭化綿との間に藻類を繁殖させることが可能となる。そのため、漁礁として使用する際に、魚の隠れ場所及び産卵場所を確保することが可能となり、藻類と魚が共生できる環境を提供することができる。また、層状に構成したことにより、狭い底面積でアワビやウニ等の幼生の生育場所となる多量の藻類を育てることが出来るため、前記幼生を効率よく生育することが可能となる。
【００３０】
また、図６に示すように、前記礁体１１は水底に対して炭化綿の面を垂直に設置することも可能である。このように設置することにより、藻類繁殖装置１の両面に付着した胞子から藻類が上方へと生育し易くなる。また、水底に対して平行に設置した場合と比較して、下方まで開放されているので、太陽光線などの採光量が増加するため、藻類の光合成を促し、成長を促進させることができる。
【００３１】
また、前記藻類繁殖装置１を平面状に敷き詰めることも可能である。すなわち、図５に示すように、前記炭化綿２を挟持する外枠３に錘１５をつけて水中に沈めることにより水底に固定し、前記藻類繁殖装置１を複数枚水底に敷設するものである。このように構成することにより、層状に炭化綿を配設する場合と比較して、丈の高い藻類を育成することが可能となり、例えばアワビやウニ等の養殖をする場合に必要となるコンブ等の育成が可能となる。また、コンブ等の藻類には水質浄化作用があるため、付近の水質改善が可能となる。
【実施例２】
【００３２】
次に、本発明の他の実施例に係る藻類繁殖装置３１について説明する。
図７に示すように、炭化綿２はシート状に構成されている。一方、外枠３３は円筒状に形成されており、その側面は網状に構成されている。前記炭化綿２を前記外枠３３の内面に沿わせるように配設している。該炭化綿２は木綿と略同様の材質性であることから、塑性変形することなく自由に変形させることが可能である。この特徴を生かし、前記外枠３３の内面に沿わせるものである。
前記炭化綿２の更に内側には内枠３４を配設する。すなわち、前記内枠３４は外枠３３と同様に側面が網状に形成されている。外枠３３より一回り断面積の小さい円柱状に形成された内枠３４を前記外枠に嵌設することにより、前記炭化綿２を外枠３３の内側面と内枠３４の外側面で挟持する構成とすることができる。
【００３３】
次に前記藻類繁殖装置３１を使用した藻類繁殖方法について図８乃至図１０を用いて説明する。
図８に示すように、礁体１１は略四角柱状に形成されており、底面の各頂点から固定柱３５ａが立設している。該固定柱３５ａと固定柱３５ａとの間には複数の底辺と平行に棒状部材３７が固設されており、前記棒状部材３７と垂直で固定柱と平行方向に補助部材３８が固設され、礁体１１の側面のうち対向する二面が格子状に構成されている。該格子状に形成された側面の一つ一つの格子に前記藻類繁殖装置３１を嵌設することで規則正しく配置されることとなる。
このように配置することに炭化綿２の内側及び外側、つまり前記藻類繁殖装置３１の内側と外側に藻類が繁殖することとなる。そのため、漁礁として使用する際に、魚にとって隠れ場所の多い構成となるため、環境のよい漁礁を形成することが可能となる。
【００３４】
前記礁体は、図９に示すように、底面に錘をつけて沈めることにより水底に固定することが可能である。すなわち、前記礁体１１の底面の各頂点に錘１５を固設して水底に沈設している。このように沈めて固定することにより、水底に前記礁体を設置することができる。すなわち、水底の浅い場所であれば、魚等が最も集まる場所に礁体１１を接地することが可能となる。
また、図１０に示すように前記礁体１１の上面にフロート２２を設ける一方、錘１５を沈めておいて、該錘１５より係留ロープ２１で前記礁体１１を係留する構成とすることも可能である。すなわち、前記礁体１１の底面の各頂点より係留ロープ２１を垂らし、該ロープに錘１５を吊設している。一方前記礁体１１の上面の各頂点にフロート２２を連結している。このフロート２２の浮力により、礁体１１は水中に浮き上がるが、吊設した錘１５によって、所定の位置に留まる。従って、フロート２２の長さや、係留ロープ２１の長さによって、礁体１１を任意の位置に決定することができる。このように藻類繁殖装置を配置したことにより、漁礁として利用する際には、水深が深い場所でも、魚の集魚効果の高い水深の浅い場所に礁体を設置することが可能となる。また、アワビやウニの養殖の際にも、水深の浅い場所に礁体を設置することにより、良い生育環境を提供することができる。
このように構成することにより、層状となった炭化綿と炭化綿との間に藻類を繁殖させることが可能となる。そのため、漁礁として使用する際に、魚の隠れ場所及び産卵場所を確保することが可能となり、藻類と魚が共生できる環境を提供することができる。
なお、本実施例では前記礁体１１は炭化綿の面を水底と略平行に設置しているが、水底に対して炭化綿の面を垂直に設置することも可能である。
【実施例３】
【００３５】
次に、本発明の他の実施例に係る藻類繁殖装置５０について説明する。
図１１に示すように、前記藻類繁殖装置５０は、上部が開放された円筒形に構成されており、側面部５０ａ及び底面部５０ｂは網状体５１・５２で構成されており、該側面部にはシート状の炭化綿２が配設されている。即ち、前記藻類繁殖装置５０の側面部は外側と内側の網状体５１ａ・５１ｂによって構成されており、該外側の網状体と内側の網状体５１ａ・５１ｂとの間に前記炭化綿２を挟持することにより固定している。また、前記側面部５０ａには炭化綿を配設していない通水部５３を設けており、該通水部５３では網状体５１の目を粗くしている。
【００３６】
前記藻類繁殖装置５０は、上面周囲にフロート２２を設ける一方、錘１５を沈めておいて、該錘１５より係留ロープ２１で係留する構成としている。すなわち、前記礁体１１の底面の各頂点より係留ロープ２１を垂らし、該ロープに錘１５を吊設している。前記フロート２２の浮力により、礁体１１は水中に浮き上がるが、吊設した錘１５によって、所定の位置に留まる。したがって、前記藻類繁殖装置はフロート下部が水面上付近に位置するように配置される。
なお、本発明に係る実施例では藻類繁殖装置を円筒形に形成したが、円筒形に限定されるわけではなく、その他多角形柱状に構成することも可能である。
【００３７】
このように藻類繁殖装置５０を配置したことにより、前記藻類繁殖装置５０を魚の養殖等を行う生け簀として利用することが可能となる。すなわち、生け簀の周囲に炭化綿を配設することにより、炭化綿の両面に藻類を繁殖させることが可能となる。そのため、魚の隠れ場所及び産卵場所を確保することが可能となり、藻類と魚が共生できる環境を提供することができる。また、魚の養殖の際に問題となる余剰飼料も炭化綿によって吸着されるため、赤潮などの水質汚染が発生し難くなる。
【００３８】
次に、炭化綿２を漁礁に用いた場合の効果について図１２乃至図１４を用いて説明する。なお、図１２の炭化綿は倍率５００倍、図１３の炭化綿の繊維は倍率２０００倍の拡大図である。
前記炭化綿２は、木綿を原料とし、８００℃〜１０００℃で１０時間、焼成して得られ、図１４に示す如く、木綿は炭化により表面のクチクラ層（薄皮）（図示せず）が除かれ、３層からなる繊維状セルロース層６１が露出する。炭化綿２は、吸着に優れた炭素系素材（比表面積１０２６平方メートル／ｇ）であり、気体、液体の他、粒子も吸着、花粉やカビの胞子も一度捕らえると離さない性質を有している。一方、礁体は魚の餌場でありまた産卵場でもある藻類の生育を必要とする。該藻類の胞子はごく微小であり、礁体の表面に付着する数は少なく、藻類の成長が進まない場合があった。そこで、炭化綿を使用することにより、藻類の胞子の付着量を増加させるものである。具体的には、図１２及び図１３に示すように、炭化綿２の微小構造は繊維４３が複雑に交錯しており、また、繊維４３と繊維４３との間には空間が確保されており、その空間に胞子が入り込むことで付着量が向上する。また、繊維４３自体が炭化の過程でらせん状になり、多孔質になるため表面積が増加しており、繊維４３の表面に胞子が付着するため、付着量が向上するのである。また、胞子だけでなく水中に存在する微生物等が付着することにより、該微生物を餌とする小型魚にとっての良好な餌場ともなる。
【００３９】
図１５は、網状体の上面に炭化綿を敷設した調査区と網状体のみで構成された対照区を海中に沈めて藻類の付着状況を調査した際の、付着藻類の湿重量を表したグラフである。
前記調査は、底質が砂である水深７ｍの海底に調査区及び対照区を設置して水温９度乃至２６度の環境下で１２ヶ月間設置して行われた。
図１５に示すように、調査区、対照区ともに調査開始から３ヶ月を経過した時点では、藻類の付着は確認されず、調査開始から６ヶ月を経過した時点では、調査区でわずかに藻類の付着が確認されたが、調査区と対照区の間にはほぼ差は無かった。しかし、調査開始より１２ヶ月を経過した時点では、調査区の付着藻類の湿重量が対照区の付着藻類の湿重量より多いという結果を得た。この結果から、炭化綿を使用することにより、藻類の胞子の付着量を増加させることが可能であるといえる。
【００４０】
また、炭化綿２は生物由来の有機素材であるから生分解性を有しており、水中に長期間放置しておけば分解されて消滅する。外枠や漁礁の固定柱等をおなじく生分解性の材料で構成することにより、漁礁自体が長期間経過すると消滅することとなり、環境負荷をかけずに処理をすることが可能となる。
【００４１】
以上のように、本発明の一実施例に斯かる藻類繁殖装置は、水中に設置して、藻類の付着育成を図るための藻類繁殖装置であって、木綿を原料とし、焼成して得られた炭化綿２を平面状に形成し、前記炭化綿２を網状体３ａを具備する外枠３・３を用いて上下方向から挟持することによって固定したものである。このように構成することにより、炭化綿の生物親和性と表面の粗さによって、炭化綿の表面に藻類の胞子が着床しやすく、かつ他の浮遊物も付着するので藻類の成長が促進される。また、網状体で挟持されているため炭化綿が移動するのを防ぎ、炭化綿の形状が崩壊するのを防止することができる。
【００４２】
また、前記藻類繁殖装置１に錘１５を固設して水底に水平もしくは垂直に並べて敷設したものにおいては、丈の高いコンブ等の育成が可能となり、アワビやウニ等の養殖をすることができる。また、コンブの持つ水質浄化作用により周辺の水質を浄化することが可能である。
【００４３】
また、前記藻類繁殖装置１を複数個使用して層状に構成した礁体１１を形成し、該礁体の底面に錘１５を固設して水底に接地するように固設したものにおいては、藻類繁殖装置を複数個一定間隔で並設することにより、魚類の餌場及び産卵場所を提供することができる。また、藻類と魚類が共生できる環境を整えることによりビオトープ的な役割を果たすことができる。また、水深の浅い場所で水底に礁体を設置することができる。
【００４４】
また、前記藻類繁殖装置を複数個使用して層状に構成した礁体１１を形成し、該礁体１１の底面より係留ロープ２１を垂らし、該係留ロープ２１に錘１５を吊設し、一方礁体１１の上面にはフロート２２を連結して、前記礁体１１を水中にて浮遊した状態で固定したものにおいては、藻類繁殖装置を複数個一定間隔で並設することにより、魚類の餌場及び産卵場所を提供することができる。また、藻類と魚類が共生できる環境を整えることによりビオトープ的な役割を果たすことができる。水深が深い場所でも、魚の集魚効果の高い水深の浅い場所に礁体を設置することが可能となる。また、層状に構成したことにより、狭い底面積でアワビやウニ等の幼生の生育場所となる多量の藻類を育てることが出来るため、前記幼生を効率よく生育することが可能となる。
【００４５】
また、本発明の他の実施例にかかる藻類繁殖装置３１を、木綿を原料とし、焼成して得られた炭化綿２を円筒状に変形して、筒状の外枠３３の内側に同じく円筒状の一回り小さい内枠３４を設け、その間に配設した構成としたものにおいては、炭化綿の内側及び外側、つまり円筒の内側と外側に藻類が繁殖させることが可能となる。
【００４６】
また、前記藻類繁殖装置３１を組み合わせて礁体１１に構成し、該礁体１１の底面に錘１５を固設して水底に接地するように配設したものにおいては、漁礁として使用する際に、魚にとって隠れ場所の多い構成となるため、環境のよい漁礁を形成することが可能となる。また、水深の浅い場所で水底に礁体を設置することができる。
【００４７】
また、前記藻類繁殖装置３１を組み合わせて礁体１１に構成し、該礁体１１の底面より係留ロープ２１を垂らし、該係留ロープ２１に錘１５を吊設し、一方礁体１１の上面にはフロート２２を連結して、前記礁体１１を水中にて浮遊した状態で固定したものにおいては、藻類繁殖装置３１を複数個一定間隔で並設することにより、魚類の餌場及び産卵場所を提供することができる。また、藻類と魚類が共生できる環境を整えることによりビオトープ的な役割を果たすことができる。水深が深い場所でも、魚の集魚効果の高い水深の浅い場所に礁体を設置することが可能となる。
【００４８】
また、本発明の他の実施例に係る藻類繁殖装置５０を、側面部５０ａ及び底面部５０ｂが網状体５１・５２で形成された藻類繁殖装置５０であって、前記側面部５０ａを二重の網状体５１ａ・５１ｂで構成し、該網状体５１ａ・５１ｂの間に木綿を原料とし、焼成して得られた炭化綿２を配設した構成としたものにおいては、前記藻類繁殖装置を魚の養殖等を行う生け簀として利用する際、生け簀の周囲に炭化綿を配設することにより、炭化綿の両面に藻類を繁殖させることが可能となる。そのため、魚の隠れ場所及び産卵場所を確保することが可能となり、藻類と魚が共生できる環境を提供することができる。また、魚の養殖の際に問題となる余剰飼料も炭化綿によって吸着されるため、赤潮などの水質汚染が発生し難くなる。
【図面の簡単な説明】
【００４９】
【図１】本発明の一実施例に係る藻類繁殖装置の斜視図。
【図２】藻類繁殖装置を複数用いた礁体の正面図。
【図３】藻類繁殖装置を複数用いた礁体を水底に配置した状態を表す正面図。
【図４】藻類繁殖装置を複数用いた礁体を水中に浮遊させた状態を表す正面図。
【図５】藻類繁殖装置を複数用いた礁体を水底に配置した状態を表す正面図。
【図６】藻類繁殖装置を水底に並べて敷設した状態を表す斜視図。
【図７】円筒形の藻類繁殖装置の側面一部断面図。
【図８】円筒形の藻類繁殖装置を複数用いた礁体を水底に配置した状態を表す正面図。
【図９】同じく藻類繁殖装置を複数用いた礁体を水中に浮遊させた状態を表す正面図。
【図１０】同じく藻類繁殖装置を複数用いた礁体の斜視図。
【図１１】本発明の他の実施例にかかる藻類繁殖装置の斜視図。
【図１２】炭化綿を電子顕微鏡で見た場合の拡大図。
【図１３】胞子が付着した炭化綿の繊維の拡大図。
【図１４】炭化後の木綿を模式的に示した図。
【図１５】着生藻類の湿重量（ｇ）の推移を示したグラフ図。
【符号の説明】
【００５０】
１    藻類繁殖装置
２    炭化綿
３    外枠
１１    礁体
【図１】
2008092855.tif 000003
【図２】
2008092855.tif 000004
【図３】
2008092855.tif 000005
【図４】
2008092855.tif 000006
【図５】
2008092855.tif 000007
【図６】
2008092855.tif 000008
【図７】
2008092855.tif 000009
【図８】
2008092855.tif 000010
【図９】
2008092855.tif 000011
【図１０】
2008092855.tif 000012
【図１１】
2008092855.tif 000013
【図１４】
2008092855.tif 000014
【図１５】
2008092855.tif 000015
【図１２】
2008092855.tif 000016
【図１３】
2008092855.tif 000017